(57)【要約】  【課題】コレステリック相を示す液晶を備えた表示素子の駆動方法であって、隣接画素からのクロストークの影響を小さくして画像劣化を解消できる駆動方法を得る。  【解決手段】  電界オフ状態で表示を維持し得るコレステリック相を示す液晶表示素子を、互いに対向状態で交差する複数の走査電極と複数の信号電極とでマトリクス駆動する駆動方法。液晶をホメオトロピック状態にするリセット期間Ｔｒと、最終的な表示状態を選択するための選択期間Ｔｓと、該選択期間Ｔｓで選択された状態を確立するための維持期間Ｔｅとを含み、クロストーク期間Ｔｄ’に印加されるクロストーク電圧はパルス幅が小さくてエネルギーが小さい。  【選択図】  図６
2008181157.tif 000002
【特許請求の範囲】
【請求項１】
電界オフ状態で表示を維持し得るコレステリック相を示す液晶を、互いに対向状態で交差する複数の走査電極と複数の信号電極とでマトリクス駆動する液晶表示素子の駆動方法であって、
非選択の走査電極上の画素に印加されるクロストーク電圧のエネルギーが、信号電極への印加電圧のエネルギーよりも小さいこと、
を特徴とする駆動方法。
【請求項２】
電界オフ状態で表示を維持し得るコレステリック相を示す液晶を、互いに対向状態で交差する複数の走査電極と複数の信号電極とでマトリクス駆動する液晶表示素子の駆動方法であって、
非選択の走査電極上の画素に印加されるクロストーク電圧のパルス幅が、信号電極への印加電圧のパルス幅よりも小さいこと、
を特徴とする駆動方法。
【請求項３】
請求項１又は請求項２記載の駆動方法にて駆動される液晶表示素子を備えたことを特徴とする液晶表示装置。
【請求項４】
電界オフ状態で表示を維持し得るコレステリック相を示す液晶を、互いに対向状態で交差する複数の走査電極と複数の信号電極とでマトリクス駆動する液晶表示装置であって、
前記走査電極に電圧を印加する走査電極用ドライバの出力が３値以下であり、前記信号電極に電圧を印加する信号電極用ドライバの出力が２値以下であること、
を特徴とする液晶表示装置。
【請求項５】
前記走査電極用ドライバと信号電極用ドライバのうち少なくとも一方には、互いに電圧値の異なる複数の電源に接続されたアナログスイッチが設けられていることを特徴とする請求項４記載の液晶表示装置。
【発明の詳細な説明】
【技術分野】
【０００１】
本発明は、液晶表示素子の駆動方法、詳しくは、電界オフ状態で表示を維持し得るコレステリック相を示す液晶を、互いに対向状態で交差する複数の走査電極と複数の信号電極とでマトリクス駆動する液晶表示素子の駆動方法及び該駆動方法で駆動される液晶表示素子を備えた液晶表示装置に関する。
【背景技術】
【０００２】
近年、デジタル情報を可視情報に再生する媒体として、室温でコレステリック相を示す液晶を用いた反射型の液晶表示素子が、電力消費が少なく、安価に製作できる利点に着目して種々開発、研究されている。しかし、この種のメモリ性液晶を用いた表示素子では、駆動速度が遅いという特有の欠点を有していることが判明している。
【０００３】
従来知られている先行文献としては、特許文献１を挙げることができる。ここでは、双安定性を有する液晶を、ホメオトロピック状態にするプレパレーション期間と、フォーカルコニック状態又はプレーナ状態にするためのセレクション期間と、その状態を確定するためのエボリューション期間とで駆動する。セレクション期間に印加される電圧値を高低２段階に制御することで液晶の表示状態を選択する。
【０００４】
しかしながら、このような駆動方法では、以下の問題点を有している。即ち、オン、オフの２階調表示しか実現できず、中間調を表示することが考慮されていない。また、駆動電圧の種類が走査電極の駆動ＩＣでは７値、信号電極の駆動ＩＣでは２値が少なくとも必要であり、ドライバのコストが上昇する。さらに、各画素には表示状態が確定した後も信号電極から書込み用のパルス電圧がそのままの電圧値で印加され、クロストークで画像の劣化を生じる。
【特許文献１】米国特許第５，７４８，２７７号明細書
【発明の開示】
【発明が解決しようとする課題】
【０００５】
そこで、本発明の目的は、前記問題点を解決することのできる改良された液晶表示素子の駆動方法及び液晶表示装置を提供することにある。
【課題を解決するための手段】
【０００６】
以上の目的を達成するため、第１の発明に係る駆動方法は、非選択の走査電極上の画素に印加されるクロストーク電圧のエネルギーが、信号電極への印加電圧のエネルギーよりも小さいことを特徴とし、第２の発明に係る駆動方法は、非選択の走査電極上の画素に印加されるクロストーク電圧のパルス幅が、信号電極への印加電圧のパルス幅よりも小さいことを特徴とする。
【０００７】
第１及び第２の発明においては、クロストーク電圧のエネルギーが小さい、あるいはパルス幅が小さいので隣接画素からのクロストークの影響が小さくなり、画像の劣化を解消することができる。
【０００８】
一方、本発明に係る液晶表示装置は、電界オフ状態で表示を維持し得るコレステリック相を示す液晶を、互いに対向状態で交差する複数の走査電極と複数の信号電極とでマトリクス駆動する液晶表示装置であって、液晶表示素子は前記駆動方法にて駆動される。また、前記走査電極に電圧を印加する走査電極用ドライバの出力が３値以下であり、前記信号電極に電圧を印加する信号電極用ドライバの出力が２値以下であることを特徴とする。
【０００９】
走査電極用ドライバと信号電極用ドライバのうち少なくとも一方には、互いに電圧値の異なる複数の電源に接続されたアナログスイッチを設けてもよい。こうすることにより、ドライバ自体の出力値の種類を少なくすることができる。
【発明を実施するための最良の形態】
【００１０】
以下、本発明に係る駆動方法及び液晶表示装置の実施形態について、添付図面を参照して説明する。
【００１１】
（液晶表示素子、図１〜図４参照）
まず、液晶表示装置を構成するコレステリック相を示す液晶を内蔵した液晶表示素子について説明する。
【００１２】
図１は単純マトリクス駆動方式による反射型のフルカラー液晶表示素子を示す。この液晶表示素子１００は、光吸収層１２１の上に、赤色の選択反射と透明状態の切り換えにより表示を行う赤色表示層１１１Ｒを配し、その上に緑色の選択反射と透明状態の切り換えにより表示を行う緑色表示層１１１Ｇを積層し、さらに、その上に青色の選択反射と透明状態の切り換えにより表示を行う青色表示層１１１Ｂを積層したものである。
【００１３】
各表示層１１１Ｒ，１１１Ｇ，１１１Ｂは、それぞれ透明電極１１３，１１４を形成した透明基板１１２間に樹脂製柱状構造物１１５、液晶１１６及びスペーサ１１７を挟持したものである。透明電極１１３，１１４上には必要に応じて絶縁膜１１８、配向制御膜１１９が設けられる。また、基板１１２の外周部（表示領域外）には液晶１１６を封止するためのシール材１２０が設けられる。
【００１４】
透明電極１１３，１１４はそれぞれ駆動ＩＣ１３１，１３２（図４参照）に接続されており、透明電極１１３，１１４の間にそれぞれ所定のパルス電圧が印加される。この印加電圧に応答して、液晶１１６が可視光を透過する透明状態と特定波長の可視光を選択的に反射する選択反射状態との間で表示が切り換えられる。
【００１５】
各表示層１１１Ｒ，１１１Ｇ，１１１Ｂに設けられている透明電極１１３，１１４は、それぞれ微細な間隔を保って平行に並べられた複数の帯状電極よりなり、その帯状電極の並ぶ向きが互いに直角方向となるように対向させてある。これら上下の帯状電極に順次通電が行われる。即ち、各液晶１１６に対してマトリクス状に順次電圧が印加されて表示が行われる。これをマトリクス駆動と称し、電極１１３，１１４が交差する部分が各画素を構成することになる。このようなマトリクス駆動を各表示層ごとに順次、もしくは同時に行うことにより液晶表示素子１００にフルカラー画像の表示を行う。
【００１６】
詳しくは、２枚の基板間にコレステリック相を示す液晶を挟持した液晶表示素子では、液晶の状態をプレーナ状態とフォーカルコニック状態に切り換えて表示を行う。液晶がプレーナ状態の場合、コレステリック液晶の螺旋ピッチをＰ、液晶の平均屈折率をｎとすると、波長λ＝Ｐ・ｎの光が選択的に反射される。また、フォーカルコニック状態では、コレステリック液晶の選択反射波長が赤外光域にある場合には散乱し、それよりも短い場合には可視光を透過する。そのため、選択反射波長を可視光域に設定し、素子の観察側と反対側に光吸収層を設けることにより、プレーナ状態で選択反射色の表示、フォーカルコニック状態で黒の表示が可能になる。また、選択反射波長を赤外光域に設定し、素子の観察側と反対側に光吸収層を設けることにより、プレーナ状態では赤外光域の波長の光を反射するが可視光域の波長の光は透過するので黒の表示、フォーカルコニック状態で散乱による白の表示が可能になる。
【００１７】
各表示層１１１Ｒ，１１１Ｇ，１１１Ｂを積層した液晶表示素子１００は、青色表示層１１１Ｂ及び緑色表示層１１１Ｇを液晶がフォーカルコニック配列となった透明状態とし、赤色表示層１１１Ｒを液晶がプレーナ配列となった選択反射状態とすることにより、赤色表示を行うことができる。また、青色表示層１１１Ｂを液晶がフォーカルコニック配列となった透明状態とし、緑色表示層１１１Ｇ及び赤色表示層１１１Ｒを液晶がプレーナ配列となった選択反射状態とすることにより、イエローの表示を行うことができる。同様に、各表示層の状態を透明状態と選択反射状態とを適宜選択することにより赤色、緑色、青色、白色、シアン、マゼンタ、イエロー、黒色の表示が可能である。さらに、各表示層１１１Ｒ，１１１Ｇ，１１１Ｂの状態として中間の選択反射状態を選択することにより中間色の表示が可能となり、フルカラー表示素子として利用できる。
【００１８】
透明基板１１２としては、無色透明のガラス板や透明樹脂フィルムを使用することができる。
【００１９】
透明電極１１３，１１４としてはＩＴＯ（Indium  Tin  Oxide）等の透明電極が使用可能であり、アルミニウム、シリコン等の金属電極、あるいはアモルファスシリコン、ＢＳＯ（Bismuth  Silicon  Oxide）等の光導電性膜を使用することもできる。また、最下層の透明電極１１４については光吸収体としての役割も含めて黒色の電極を使用することができる。
【００２０】
絶縁膜１１８はガスバリア層としても機能するように酸化シリコンなどの無機膜あるいはポリイミド樹脂、エポキシ樹脂などの有機膜が用いられ、基板１１２間のショートを防いだり、液晶の信頼性を向上させる。また、配向制御膜１１９としてはポリイミドが代表的なものである。
【００２１】
液晶１１６としては、室温でコレステリック相を示すものが好ましく、特に、ネマティック液晶にカイラルドーパントを添加することによって得られるカイラルネマティック液晶が好適である。
【００２２】
カイラルドーパントは、ネマティック液晶に添加された場合にネマティック液晶の分子を捩る作用を有する添加剤である。カイラルドーパントをネマティック液晶に添加することにより、所定の捩れ間隔を有する液晶分子の螺旋構造が生じ、これによりコレステリック相を示す。
【００２３】
カイラルネマティック液晶は、カイラルドーパントの添加量を変えることにより、螺旋構造のピッチを変化させることができ、これにより液晶の選択反射波長を制御することができるという利点がある。なお、一般的には、液晶分子の螺旋構造のピッチを表す用語として、液晶分子の螺旋構造に沿って液晶分子が３６０度回転したときの分子間の距離で定義される「ヘリカルピッチ」を用いる。
【００２４】
柱状構造物１１５に使用する材料としては、例えば、熱可塑性樹脂を用いることができる。これには、加熱により軟化し冷却により固化する材料で、使用する液晶材料と化学反応を起こさないことと適度な弾性を有することが望まれる。
【００２５】
柱状構造物１１５は前記物質を公知の印刷方法を用い、図２に示すように、ドット柱状を形成するようにパターンを用いて印刷する。液晶表示素子１００の大きさや、画素解像度により、断面形状の大きさや、配列ピッチ、形状（円柱、太鼓状、多角形等）は適宜選択される。また、電極１１３間に優先的に柱状構造物１１５を配置すると開口率が向上するのでより好ましい。
【００２６】
スペーサ１１７としては、加熱や加圧によって変形しない硬質材料からなる粒子が好ましい。例えば、ガラスファイバを微細化したもの、ボール状の珪酸ガラス、アルミナ粉末等の無機材料、あるいはジビニルベンゼン系架橋重合体やポリスチレン系架橋重合体等の有機系合成球状粒が使用可能である。
【００２７】
このように、２枚の基板１１２間のギャップを所定の大きさに保つ硬質のスペーサ１１７と、表示領域内に所定の配置規則に基づいて配置されて一対の基板１１２を接着支持する熱可塑性高分子材料を主成分とする柱状構造物１１５とを設けることにより、基板１１２の全域にわたって両基板１１２を強固に支持すると共に、配列ムラがなく、しかも、低温環境下において気泡の発生を抑えることができる。なお、スペーサ１１７は必ずしも必要なものではない。
【００２８】
ここで、液晶表示素子１００の製造例について簡単に説明する。
まず、２枚の透明基板上にそれぞれ複数の帯状の透明電極を形成する。透明電極は、基板上にＩＴＯ膜をスパッタリング法等で形成した後、フォトリソグラフィ法によりパターニングを行って形成する。
【００２９】
次に、透明な絶縁膜や配向制御膜を各基板の透明電極形成面に形成する。絶縁膜及び配向制御膜は、それぞれ、酸化シリコン等の無機材料やポリイミド樹脂などの有機材料を用いて、スパッタリング法、スピンコート法、あるいはロールコート法など公知の方法によって形成することができる。なお、配向制御膜には通常ラビング処理は施さない。配向制御膜の働きはまだ明確でないが、配向制御膜の存在により、液晶分子に対してある程度のアンカリング効果を持たせることができるものと考えられ、液晶表示素子の特性が経時的に変化するのを防止することができる。また、これらの薄膜に色素を添加するなどしてカラーフィルタとしての機能を持たせ、色純度やコントラストを高めるようにしてもよい。
【００３０】
こうして透明電極、絶縁膜、及び配向制御膜が設けられた一方の基板の電極形成面に柱状構造物を形成する。柱状構造物は、樹脂を溶剤に溶解したペースト状の樹脂材料を、スクリーン版やメタルマスク等を介してスキージで押し出して平板上に載置した基板に印刷を行う印刷法、ディスペンサ法やインクジェット法などの、樹脂材料をノズルの先から基板上に吐出して形成する方法、あるいは、樹脂材料を平板あるいはローラ上に供給した後、これを基板表面に転写する転写法などにより形成することができる。柱状構造物の形成時の高さは、所望の液晶表示層の厚みより大きくすることが望ましい。
【００３１】
他方の基板の電極形成面には、紫外線硬化樹脂や熱硬化性樹脂等を用いてシール材を設ける。シール材は、基板の外縁部で連続する環状に配置する。シール材の配置は、前述した柱状構造物と同様に、ディスペンサ法やインクジェット法など樹脂をノズルの先から基板上に吐出して形成する方法や、スクリーン版、メタルマスク等を用いた印刷法、樹脂を平板あるいはローラ上に形成した後、透明基板上に転写する転写法などによって行えばよい。さらに、少なくとも一方の基板の表面に、従来公知の方法によりスペーサを散布する。
【００３２】
そして、これら一対の基板を電極形成面が対向するように重ね合わせ、この基板対の両側から加圧しながら加熱する。加圧及び加熱は、例えば、図３に示すように、平板１５０上に柱状構造物１１５が形成された基板１１２ａを載せ、対向基板１１２ｂを重ねて、端部から加熱・加圧ローラ１５１により加熱・加圧しながら、ローラ１５１と平板１５０との間を通過させることにより行うことができる。このような方法を用いると、フィルム基板などの可撓性を有するフレキシブル基板を用いても精度よくセルを作製することができる。熱可塑性高分子材料で柱状構造物を形成しておくと、柱状構造物を加熱により軟化させ冷却により固化させて、柱状構造物で両基板を接着させることができる。また、シール材として熱硬化性樹脂材料を用いた場合は、この基板の重ね合わせの際の加熱によりシール材を硬化させるとよい。
【００３３】
この重ね合わせ工程において、液晶材料を一方の基板上に滴下し、基板の重ね合わせと同時に液晶材料を液晶素子に注入する。この場合、予めスペーサを液晶材料に含ませておき、これを少なくとも一方の基板の帯状電極形成面に滴下すればよい。
【００３４】
液晶材料を基板の端部に滴下し、ローラで基板を重ね合わせながら液晶材料を他端へと押し広げることにより、基板全域に液晶材料を充填することができる。こうすることにより、基板を重ね合わせる際に生じた気泡を液晶材料に巻き込むのを低減することができる。
【００３５】
その後、少なくとも柱状構造物を構成する樹脂材料の軟化温度以下に基板温度が低下するまで基板を加圧し続けてから加圧を停止し、さらに、シール材として光硬化性樹脂材料を用いた場合は、その後に光照射を行ってシール材を硬化させる。
【００３６】
同様の手順で、液晶材料を選択反射波長が異なるものに変更し、青色表示用、緑色表示用、および赤色表示用のセルを作製する。こうして作製したセルを３層に積層し、これらを接着剤で貼りつけ、さらに最下層に光吸収層を設けてフルカラーの液晶表示素子とする。
【００３７】
液晶表示素子１００の画素構成は、図４に示すように、それぞれ複数本の走査電極Ｒ１，Ｒ２〜Ｒｍと信号電極Ｃ１，Ｃ２〜Ｃｎ（ｎ，ｍは自然数）とのマトリクスで表される。走査電極Ｒ１，Ｒ２〜Ｒｍは走査駆動ＩＣ１３１の出力端子に接続され、信号電極Ｃ１，Ｃ２〜Ｃｎは信号駆動ＩＣ１３２の出力端子に接続されている。
【００３８】
走査駆動ＩＣ１３１は、走査電極Ｒ１，Ｒ２〜Ｒｍのうち所定のものに選択信号を出力して選択状態とする一方、その他の電極には非選択信号を出力し非選択状態とする。走査駆動ＩＣ１３１は、所定の時間間隔で電極を切り換えながら順次各走査電極Ｒ１，Ｒ２〜Ｒｍに選択信号を印加してゆく。一方、信号駆動ＩＣ１３２は、選択状態にある走査電極Ｒ１，Ｒ２〜Ｒｍ上の各画素を書き換えるべく、画像データに応じた信号を各信号電極Ｃ１，Ｃ２〜Ｃｎに同時に出力する。例えば、走査電極Ｒａが選択されると（ａはａ≦ｍを満たす自然数）、この走査電極Ｒａと各信号電極Ｃ１，Ｃ２〜Ｃｎとの交差部分の画素ＬＲａ−Ｃ１〜ＬＲａ−Ｃｎが同時に書き換えられる。これにより、各画素における走査電極と信号電極との電圧差が画素の書き換え電圧となり、各画素がこの書き換え電圧に応じて書き換えられる。
【００３９】
駆動回路は中央処理装置１３５、ＬＣＤコントローラ１３６、画像処理装置１３７、画像メモリ１３８及び駆動ＩＣ（ドライバ）１３１，１３２にて構成され、画像メモリ１３８に記憶された画像データに基づいてＬＣＤコントローラ１３６が駆動ＩＣ１３１，１３２を制御し、液晶表示素子１００の各走査電極及び信号電極間に順次電圧を印加し、液晶表示素子１００に画像を書き込む。駆動ＩＣ１３１，１３２の詳細な構成については後述する。
【００４０】
ここで、コレステリック相を示す液晶の捩れを解くための第１の閾値電圧をＶth１とすると、電圧Ｖth１を十分な時間印加した後に電圧を第１の閾値電圧Ｖth１よりも小さい第２の閾値電圧Ｖth２以下に下げるとプレーナ状態になる。また、Ｖth２以上でＶth１以下の電圧を十分な時間印加するとフォーカルコニック状態になる。この二つの状態は電圧印加を停止した後でも安定に維持される。また、Ｖth１〜Ｖth２間の電圧を印加することにより、中間調の表示、即ち、階調表示が可能である。
【００４１】
なお、部分的に書き換えを行う場合は、書き換えたい部分を含むように特定の走査ラインのみを順次選択するようにすればよい。これにより、必要な部分のみを短時間で書き換えることができる。
【００４２】
各画素の書き換えは前述した方法で行うことができるが、既に画像が表示されている場合、この画像による影響をなくすために、書き換え前に各画素を全て同じ表示状態にリセットすることが好ましい。リセットは全画素を一括して行ってもよいし、走査電極ごとに行ってもよい。
【００４３】
部分的に書き換えを行う場合は、各走査ラインごとにリセットを行うか、書き換えたい部分を含む特定の走査ライン間のみを一括してリセットすればよい。
【００４４】
なお、前記液晶表示素子１００においては、樹脂製柱状構造物が液晶表示層内に含まれる素子構成について説明した。このような構成は、フィルム基板を用いて軽くしかも表示特性の優れた液晶表示素子を作製することができると共に、大型化が容易で、駆動電圧が比較的小さい、衝撃に強いといった種々の優れた特徴を有しており特に有用なものである。
【００４５】
しかし、メモリ性液晶自体は必ずしもこの構成に限定されるわけではなく、従来公知の高分子の３次元網目構造のなかに液晶が分散された、あるいは、液晶中に高分子の３次元網目構造が形成された、いわゆる高分子分散型の液晶複合膜として液晶表示層を構成することも可能である。
【００４６】
（駆動原理、図５、図６参照）
まず、本発明に係る駆動方法の駆動原理について説明する。なお、ここでは、交流化されたパルス波形を用いた具体例を挙げて説明するが、本発明に係る駆動方法がこの波形に限定されないことはいうまでもない。この例の駆動方法は、図５に示すように、大きく分けて、リセット期間Ｔｒと選択期間Ｔｓと維持期間Ｔｅと表示期間Ｔｄとから構成されている。
【００４７】
なお、図５において、図の上段にはある一画素の液晶（ＬＣＤ１）に印加される駆動波形を示し、図の下段には、各期間における液晶の状態を模式的に示している。図５に示すように、本例ではリセット期間Ｔｒが選択期間Ｔｓの２倍、維持期間Ｔｅが選択期間Ｔｓの３倍の長さに設定されている。従って、選択期間Ｔｓの６倍の期間で１ラインの書換えが完了することになり、線順次駆動した場合には６ライン分の帯状の暗部が走って見えることになる。
【００４８】
リセット期間Ｔｒでは、まず最初に、書込みを行う走査電極上の画素に絶対値Ｖｒの電圧を印加することにより、この走査電極上の画素はホメオトロピック状態にリセットされる（図５中ａ参照）。
【００４９】
選択期間Ｔｓはさらに三つの期間（前選択期間Ｔｓ１、選択パルス印加期間Ｔｓ２、後選択期間Ｔｓ３）から構成されている。前選択期間Ｔｓ１では、書込みを行う走査電極上の画素に作用する電圧をゼロにする。このとき、液晶は捻れが少しだけ戻った状態（第１遷移状態）になると考えられる（図５中ｂ参照）。次に、表示しようとする画像に応じた選択パルスを印加する（選択パルス印加期間Ｔｓ２）。この選択パルス印加期間Ｔｓ２では、最終的にプレーナ状態を選択したい画素とフォーカルコニック状態を選択したい画素とでは、印加するパルスの形状が異なる。そこで、選択パルス印加期間Ｔｓ２以降については、プレーナ状態を選択する場合と、フォーカルコニック状態を選択する場合とに分けて説明する。
【００５０】
プレーナ状態を選択する場合には、選択パルス印加期間Ｔｓ２に絶対値Ｖｓｅｌの選択パルスを印加し、再び液晶をホメオトロピック状態にする（図５中ｃ１参照）。その後、後選択期間Ｔｓ３で電圧をゼロにすると、液晶は捻れが少しだけ戻った状態になる（図５中ｄ１参照）。この状態は先の第１遷移状態にほぼ等しいと考えられる。
【００５１】
その後の維持期間Ｔｅでは、まず最初に、書込みを行う走査電極上の画素に絶対値Ｖｅのパルス電圧を印加する。先の選択期間Ｔｓで捻れが少しだけ戻った状態になった液晶は、このパルス電圧Ｖｅの印加で再び捻れが解け、ホメオトロピック状態になる（図５中ｅ１参照）。
【００５２】
表示期間Ｔｄでは、液晶に印加される電圧をゼロにする。ホメオトロピック状態の液晶は電圧をゼロにすることにより、プレーナ状態となる（図５中ｆ１参照）。このようにして、プレーナ状態が選択される。
【００５３】
一方、最終的にフォーカルコニック状態を選択したい場合には、選択パルス印加期間Ｔｓ２に、液晶にかかる電圧をゼロにする。これにより、液晶の捻れがさらに戻った状態（第２遷移状態）となる（図５中ｃ２参照）。そして、後選択期間Ｔｓ３は、プレーナ状態を選択する場合と同様に、液晶にかかる電圧をゼロにする。こうすることにより、液晶は捻れが戻って、ヘリカルピッチが２倍程度に広がった状態（第３遷移状態）になるものと考えられる（図５中ｄ２参照）。なお、この状態は、先に示した特許文献１に記載されているトランジェントプレーナと呼ばれる状態に近いと考えられる。
【００５４】
その後の維持期間Ｔｅでは、プレーナ状態を選択する場合と同様に、書込みを行う走査ライン上の画素に絶対値Ｖｅのパルス電圧を印加する。先の選択期間Ｔｓで捻れが戻ってきた液晶は、このパルス電圧Ｖｅの印加でフォーカルコニック状態へと遷移する（第４遷移状態、図５中ｅ２参照）。
【００５５】
表示期間Ｔｄでは、プレーナ状態を選択する場合と同様に、液晶に印加される電圧をゼロにする。フォーカルコニック状態の液晶は電圧をゼロにしても、フォーカルコニック状態のまま固定される。このようにして、フォーカルコニック状態が選択される（図５中ｆ２参照）。
【００５６】
前述のように、選択期間Ｔｓの中央の短い時間、即ち、選択パルス印加期間Ｔｓ２に印加する選択パルスにより、最終的な液晶の表示状態が選択できる。また、この選択パルスのパルス幅を調整することにより、具体的には、信号電極に印加するパルスの形状を画像データに応じて変化させることにより、中間調の表示が可能である。
【００５７】
このように、前選択期間Ｔｓ１及び後選択期間Ｔｓ３に液晶に印加する電圧値をゼロにして、休止期間とすることにより、後述するような簡素なドライバ構成を採用することができ、コスト低減により有効となる。勿論、電圧はゼロでなく、ゼロに近い値であって実質的に電圧が作用しない程度の電圧値の範囲内であってもよい。
【００５８】
図６は、マトリクス状に配された複数画素の中のある画素の液晶にかかる駆動電圧波形と、この波形を得るための走査電極（ロウ）と信号電極（カラム）の波形の一例を示す。図６において、ロウとは走査電極上の１ラインを意味し、カラムとは信号電極上の１ラインを意味する。また、ＬＣＤとは前記ロウとカラムとが交差する部分の一画素分の液晶層を意味する。
【００５９】
図６に示すように、マトリクス駆動の場合は、維持期間Ｔｅを経過した後も他の走査電極上の画素にデータを書き込むため、所定電圧がクロストーク電圧として信号電極から印加される。このクロストーク電圧が印加される期間をクロストーク期間Ｔｄ’と称する。このクロストーク電圧はパルス幅が小さくてエネルギーが小さいため、液晶の状態にはほとんど影響を及ぼさない。
【００６０】
全ての走査電極の選択が完了し、最後に選択された走査電極の維持期間Ｔｅが終了すると、他の走査電極のクロストーク期間Ｔｄ’が全て終了し、全走査電極及び信号電極への印加電圧をゼロにして表示期間Ｔｄとなる。そして、次の書換えまでこの状態が継続される。
【００６１】
なお、図６では、簡略化のため、リセット期間Ｔｒ、選択期間Ｔｓ、維持期間Ｔｅ及びクロストーク期間Ｔｄ’の長さを全て等しくして図示している。また、同じ理由で図６ではカラムの信号は全てプレーナ状態を選択するためのパルスとして描いている。
【００６２】
以下、マトリクス駆動方法の具体例について説明する。なお、以下に示す例１〜例４において、ロウ１〜３とは順に選択される３本の走査電極を意味し、カラムとは前記各走査電極に交差する１本の信号電極を意味し、ＬＣＤ１〜３とはロウ１〜３とカラムとの交差部に形成される三つの画素に相当する液晶層を意味する。
【００６３】
（マトリクス駆動の例１）
先に述べたように、本実施形態の駆動方法においては、リセット期間、選択期間、維持期間及びクロストーク期間を有する。さらに、選択期間は、前選択期間、選択パルス印加期間及び後選択期間の三つに分かれており、選択期間のうちの一部分にのみ選択パルスが印加される。
【００６４】
選択パルスは書込み対象画素に表示させる画像データにより形状を変える必要があり、カラムには画像データに応じて異なる形状の選択パルスを印加しなければならない。一方、前選択期間及び後選択期間では、常に画素内の液晶には電圧ゼロを印加するので、電圧ゼロを得られるような、ロウ、カラムともにある決まったパルス波形の組合せを用いることができる。図７に示す例１では、このことを利用して、複数の走査電極上の画素に対して、リセットと維持と表示とを同時に行っている。
【００６５】
例えば、ＬＣＤ２が前選択期間にあるとき、ロウ２及びロウ３には互いに異なる位相のパルス電圧＋Ｖ１を印加し、ロウ１には＋Ｖ１／２の電圧を印加する。このとき、カラムにロウ３と異なる位相のパルス電圧＋Ｖ１を印加すると、ＬＣＤ３には電圧±ＶＲ＝±Ｖ１のリセットパルスが、ＬＣＤ２には電圧ゼロが、ＬＣＤ１には電圧±Ｖｅ＝±Ｖ１／２の維持パルスが印加される。
【００６６】
ＬＣＤ２が選択パルス印加期間にあるときは、カラムからは画像データによって異なる形状のデータパルス（電圧＋Ｖ１）が印加されるため、ロウ１、ロウ３ともに電圧＋Ｖ１／２のパルスを印加して、ＬＣＤ１、ＬＣＤ３には±Ｖ１／２の電圧がかかるようにする。ロウ２には電圧＋Ｖ１のパルスを印加し、カラムに印加するデータパルスとの電圧差（±Ｖ１又はゼロ）が、電圧±Ｖｓｅｌの選択パルスとしてＬＣＤ２に印加される。カラムに印加するデータパルスの形状を変化させることで、選択パルスのパルス幅を変化させることができる。
【００６７】
後選択期間では、前選択期間と同様のことを行う。即ち、ロウ２及びロウ３には互いに異なる位相のパルス電圧＋Ｖ１を印加し、ロウ１には＋Ｖ１／２の電圧を印加する。そして、カラムにロウ３と異なる位相のパルス電圧＋Ｖ１を印加することにより、ＬＣＤ３に電圧±ＶＲ＝±Ｖ１のリセットパルス、ＬＣＤ２に電圧ゼロ、ＬＣＤ１に電圧±Ｖｅ＝±Ｖ１／２の維持パルスを印加する。
【００６８】
リセット期間、選択期間及び維持期間以外の期間は、各走査電極には、他の走査電極の前選択期間及び後選択期間に信号電極から印加するデータパルスと同じ位相の波形を印加し、他の走査電極の選択パルス印加期間には電圧＋Ｖ１／２のパルスを印加する。こうすることによって、この部分の液晶には、画像データに応じて、選択パルスと同じパルス幅で、電圧±Ｖ１／２のクロストーク電圧が印加される。このクロストーク電圧は、パルス幅が狭いため、液晶の表示状態には影響を及ぼさない。
【００６９】
以上のパルス電圧の印加を各走査電極に対して順次繰返し実行することにより、画像表示を行うことができる。各走査電極の選択は線順次で行ってもよいし、任意の順序で行ってもよい。また、任意の走査電極に前記リセットパルス、選択パルス、維持パルスを印加することができるので、部分書換えを行うこともできる。
【００７０】
なお、例１では、駆動ＩＣに必要な出力電圧数は、ロウ側が３値（Ｖ１、Ｖ１／２、ＧＮＤ）、カラム側が２値（Ｖ１、ＧＮＤ）となる。
【００７１】
（例１の駆動ＩＣ構成例）
図７に示す駆動波形を出力する走査駆動ＩＣの内部回路を図８に示す。走査駆動ＩＣは、シフトレジスタ３００、ラッチ３０１、デコーダ３０２及びレベルシフタ／高耐圧３値ドライバ３０３を含む。この走査駆動ＩＣでは、デコーダ３０２へモード切替え信号ＭＯＤＥと極性反転信号ＰＣとが入力され、ラッチ３０１へストローブ信号ＳＴＢが入力され、シフトレジスタ３００へデータ信号ＤＡＴＡとシフトクロック信号ＣＬＫとクリア信号ＣＬＲとが入力される。
【００７２】
前記走査駆動ＩＣの動作を以下に示す。シフトレジスタ３００へ入力される２ビットデータ信号ＤＡＴＡとシフトクロック信号ＣＬＫにより、シフトレジスタ３００に２ビットのデータをセットする。次に、ストローブ信号ＳＴＢにより、シフトレジスタ３００のデータをラッチ３０１でラッチする。ラッチされた２ビットのデータ信号ＤＡＴＡ、極性反転信号ＰＣ及びモード切替え信号ＭＯＤＥにより、デコーダ３０２がこの２ビットデータ信号ＤＡＴＡをデコードし、レベルシフタ／高耐圧３値ドライバ３０３を駆動する。レベルシフタ／高耐圧３値ドライバ３０３は、Ｖｒ１、Ｖｒ２、ＧＮＤの３値のうち、任意の電圧値を出力する。
【００７３】
以下に示す表１は走査駆動ＩＣの真理値表である。表１に示すように、２ビットのデータ信号ＤＡＴＡ１，２、極性反転信号ＰＣ、モード切替え信号ＭＯＤＥ１，２の組み合わせによって、Ｖｒ１、Ｖｒ２、ＧＮＤの３値のうち、任意の電圧値を出力できる。Ｖｒ１＝Ｖ１、Ｖｒ２＝Ｖ１／２を高耐圧３値ドライバ３０３に入力することにより、図７に示す走査波形を出力することができる。
【００７４】
【表１】
2008181157.tif 000003
【００７５】
次に、図７に示す駆動波形を出力する信号駆動ＩＣの内部回路を図９に示す。信号駆動ＩＣは、シフトレジスタ５００、ラッチ５０１、コンパレータ５０２、デコーダ５０３、レベルシフタ／高耐圧ドライバ５０４及びカウンタ５０５を含む。この信号駆動ＩＣでは、デコーダ５０３へ出力禁止信号ＯＥと極性反転信号ＰＣとが入力され、ラッチ５０１へストローブ信号ＳＴＢが入力され、シフトレジスタ５００へ８ビットのデータ信号ＤＡＴＡとシフトクロック信号ＣＬＫとクリア信号ＣＬＲとが入力され、カウンタ５０５へクロック信号ＣＣＬＫとクリア信号ＣＣＬＲとが入力される。
【００７６】
前記信号駆動ＩＣの動作について説明する。シフトレジスタ５００へ入力される８ビットデータ信号ＤＡＴＡとシフトクロック信号ＣＬＫにより、シフトレジスタ５００に８ビットのデータをセットする。次に、ストローブ信号ＳＴＢにより、シフトレジスタ５００のデータはラッチ５０１にラッチされる。ここで、カウンタ５０５へ入力されるクロック信号ＣＣＬＫにより、その８ビットの出力をゼロからカウントアップする。コンパレータ５０２は、ラッチ５０１の出力とカウンタ５０５の出力とを比較し、ラッチ５０１の出力が大きい場合、ハイレベルの信号を出力する。また、カウンタ５０５のカウントアップが進み、ラッチ５０１の出力が小さくなると、ローレベルの信号を出力する。そして、コンパレータ５０２の出力、出力禁止信号ＯＥ及び極性反転信号ＰＣにより、デコーダ５０３からレベルシフタ／高耐圧ドライバ５０４を駆動するための信号が出力される。
【００７７】
以下に示す表２は信号駆動ＩＣの真理値表である。表２に示すように、コンパレータ５０２の出力、出力禁止信号ＯＥ、極性反転信号ＰＣの組み合わせによって、Ｖｃ１、ＧＮＤの２種類の電圧を出力することができる。Ｖｃ１＝Ｖ１を入力することにより、図７に示すデータ波形を出力することができる。
【００７８】
【表２】
2008181157.tif 000004
【００７９】
前述の如く、走査側３値、信号側２値のドライバを使用することで、駆動ＩＣコストを低減することができる。
【００８０】
（マトリクス駆動の例２）
前記例１では、選択期間に印加する選択パルスの電圧Ｖｓｅｌがリセットパルスの電圧Ｖｐ＝Ｖ１と等しくなっていたのに対して、ここで説明する例２では、選択パルスの電圧Ｖｓｅｌを電圧Ｖ１とは異なる電圧Ｖ２（具体的にはＶ１より小さい値）に設定したものである。例２では、選択パルスの電圧をリセットパルスの電圧より小さくすることにより、エネルギーのロスが小さくなり、中間調制御が容易になる。図１０は例２の駆動波形を示す。
【００８１】
例えば、ＬＣＤ２が前選択期間にあるとき、ロウ２及びロウ３には異なる位相のパルス電圧＋Ｖ１を印加し、ロウ１には＋Ｖ１／２の電圧を印加する。このとき、カラムにロウ３と異なる位相のパルス電圧＋Ｖ１を印加すると、ＬＣＤ３には電圧±Ｖｒ＝±Ｖ１のリセットパルスが、ＬＣＤ２には電圧ゼロが、ＬＣＤ１には電圧±Ｖｅ＝±Ｖ１／２の維持パルスが印加される。
【００８２】
ＬＣＤ２が選択パルス印加期間にあるときは、カラムからは画像データによって異なる形状のデータパルス（電圧＋Ｖ２）が印加されるため、ロウ１、ロウ３ともに電圧＋Ｖ２／２のパルスを印加して、ＬＣＤ１、ＬＣＤ３には±Ｖ２／２の電圧がかかるようにする。ロウ２には電圧＋Ｖ２を印加し、カラムに印加するデータパルスとの電圧差（±Ｖ２又はゼロ）が、電圧±Ｖｓｅｌの選択パルスとしてＬＣＤ２に印加される。カラムに印加するデータパルスの形状を変化させることで、選択パルスのパルス幅を変化させることができる。
【００８３】
後選択期間では、前選択期間と同様にしてロウ１〜３及びカラムにパルスを印加する。
【００８４】
リセット期間、選択期間及び維持期間以外の期間は、各走査電極には、前選択期間及び後選択期間に信号電極から印加するデータパルスと同じ位相の波形を印加し、他の走査電極の選択パルス印加期間には電圧＋Ｖ２／２のパルスを印加する。こうすることによって、この部分の液晶には、画像データに応じて、選択パルスと同じパルス幅で、電圧±Ｖ２／２のクロストーク電圧が印加される。このクロストーク電圧は、パルス幅が狭いため、液晶の表示状態には影響を及ぼさない。
【００８５】
以上のパルス電圧の印加を各走査電極に対して順次繰返し実行することにより、画像表示を行うことができる。勿論、部分書換えも可能である。
【００８６】
なお、例２では、駆動ＩＣに必要な出力電圧数は、ロウ側が５値（Ｖ１、Ｖ１／２、Ｖ２、Ｖ２／２、ＧＮＤ）、カラム側が３値（Ｖ１、Ｖ２、ＧＮＤ）となる。
【００８７】
（例２の駆動ＩＣ構成例）
図１０に示す駆動波形を出力する走査駆動ＩＣの内部回路を図１１に示す。この走査駆動ＩＣは、図８に示した回路に電圧切換え回路を追加した構成とすることにより、３値ドライバで５値の出力を可能にしている。即ち、走査駆動ＩＣは、シフトレジスタ８００、ラッチ８０１、デコーダ８０２、レベルシフタ／高耐圧３値ドライバ８０３及びアナログスイッチ８１０，８１１を含む。この走査駆動ＩＣでは、デコーダ８０２へモード切替え信号ＭＯＤＥと極性反転信号ＰＣとが入力され、ラッチ８０１へストローブ信号ＳＴＢが入力され、シフトレジスタ８００へデータ信号ＤＡＴＡとシフトクロック信号ＣＬＫとクリア信号ＣＬＲとが入力される。
【００８８】
前記走査駆動ＩＣの動作を以下に示す。シフトレジスタ８００へ入力される２ビットデータ信号ＤＡＴＡとシフトクロック信号ＣＬＫにより、シフトレジスタ８００に２ビットのデータをセットする。次に、ストローブ信号ＳＴＢにより、シフトレジスタ８００のデータをラッチ８０１でラッチする。ラッチされた２ビットのデータ信号ＤＡＴＡ、極性反転信号ＰＣ及びモード切替え信号ＭＯＤＥにより、デコーダ８０２がこの２ビットデータ信号ＤＡＴＡをデコードし、レベルシフタ／高耐圧３値ドライバ８０３を駆動する。レベルシフタ／高耐圧３値ドライバ８０３は、Ｖｒ１、Ｖｒ２、ＧＮＤの３値のうち、任意の電圧値を出力する。
【００８９】
電圧Ｖｒ１とＶｒ２は、アナログスイッチ８１０，８１１によって電圧Ｖ１とＶ２、Ｖ１／２とＶ２／２に切り換えられる。この切換えを選択期間に行うことにより、選択パルスの電圧をＶ２に設定することが可能となる。
【００９０】
次に、図１０に示す駆動波形を出力する信号駆動ＩＣの内部回路を図１２に示す。信号駆動ＩＣは、図９に示した回路と基本的には同じ構成であり、シフトレジスタ９００、ラッチ９０１、コンパレータ９０２、デコーダ９０３、レベルシフタ／高耐圧ドライバ９０４、カウンタ９０５及びアナログスイッチ９１４を含む。この信号駆動ＩＣでは、デコーダ９０３へ出力禁止信号ＯＥと極性反転信号ＰＣとが入力され、ラッチ９０１へストローブ信号ＳＴＢが入力され、シフトレジスタ９００へ８ビットのデータ信号ＤＡＴＡとシフトクロック信号ＣＬＫとクリア信号ＣＬＲとが入力され、カウンタ９０５へクロック信号ＣＣＬＫとクリア信号ＣＣＬＲとが入力される。
【００９１】
前記信号駆動ＩＣの動作について説明する。シフトレジスタ９００へ入力される８ビットデータ信号ＤＡＴＡとシフトクロック信号ＣＬＫにより、シフトレジスタ９００に８ビットのデータをセットする。次に、ストローブ信号ＳＴＢにより、シフトレジスタ９００のデータはラッチ９０１にラッチされる。ここで、カウンタ９０５へ入力されるクロック信号ＣＣＬＫにより、その８ビットの出力をゼロからカウントアップする。コンパレータ９０２は、ラッチ９０１の出力とカウンタ９０５の出力とを比較し、ラッチ９０１の出力が大きい場合、ハイレベルの信号を出力する。また、カウンタ９０５のカウントアップが進み、ラッチ９０１の出力が小さくなると、ローレベルの信号を出力する。そして、コンパレータ９０２の出力、出力禁止信号ＯＥ及び極性反転信号ＰＣにより、デコーダ９０３からレベルシフタ／高耐圧ドライバ９０４を駆動するための信号が出力される。
【００９２】
電圧Ｖｃ１は、アナログスイッチ９１４によって電圧Ｖ１とＶ２に切り換えられる。この切換えを選択期間に行うことにより、選択パルスの電圧をＶ２に設定することが可能となる。
【００９３】
このように、互いに異なる電圧値の複数の電源から供給される電圧を選択可能なアナログスイッチを挿入することにより、ドライバとして、出力がそれぞれ３値、２値のものを使用でき、コスト上昇を抑えることができる。
【００９４】
（マトリクス駆動の例３）
前記例１，２では、書換え対象の各走査電極ごとにリセットを行っていたのに対して、ここで説明する例３では、書換え対象領域に含まれる全走査電極を一括してリセットする全面リセット方式である。図１３にその駆動波形を示す。この方式では、駆動ＩＣに電圧切換え手段を設けることにより、必要な出力電圧数はロウ側２値、カラム側２値となる。
【００９５】
まず、全画面を一旦リセットする。このとき、駆動ＩＣから出力するリセットパルス±ＶＲの電圧値はＶ１であるが、全画面同時に印加するため、全ての駆動ＩＣの高圧入力電圧をＶ１にすればよい。そして、各走査電極を順番に走査していくときには、駆動ＩＣの高圧入力電圧をＶ１／２に切り替えておく。
【００９６】
ＬＣＤ２が前選択期間にあるとき、ロウ１及びロウ３には同じ位相のパルス電圧＋Ｖ１／２を印加し、ロウ２のみ異なる位相のパルス電圧＋Ｖ１／２を印加する。このとき、カラムにはロウ２と同じ位相のパルス電圧＋Ｖ１／２を印加すると、ＬＣＤ２には電圧ゼロが、ＬＣＤ１，３には電圧±Ｖｅ＝±Ｖ１／２の維持パルスが印加される。
【００９７】
ＬＣＤ２が選択パルス印加期間にあるときは、ロウ１、ロウ２、ロウ３ともに電圧＋Ｖ１／２のパルスを印加する。カラムに印加するデータパルスとの電圧差（±Ｖ２又はゼロ）が電圧±Ｖｓｅｌの選択パルスとしてＬＣＤ２に印加される。カラムに印加するデータパルスの形状を変化させることで、選択パルスのパルス幅を変化させることができる。
【００９８】
後選択期間では、前選択期間と同様にしてロウ１〜３及びカラムにパルスを印加する。
【００９９】
リセット期間、選択期間及び維持期間以外の期間は、各走査電極には、前選択期間及び後選択期間に信号電極から印加するデータパルスと同じ位相の波形を印加し、他の走査電極の選択パルス印加期間には電圧＋Ｖ１／２のパルスを印加する。こうすることによって、この部分の液晶には、画像データに応じて、選択パルスと同じパルス幅で、電圧±Ｖ１／２のクロストーク電圧が印加される。このクロストーク電圧は、パルス幅が狭いため、液晶の表示状態には影響を及ぼさない。
【０１００】
以上のパルス電圧の印加を各走査電極に対して順次繰返し実行することにより、画像表示を行うことができる。勿論、部分書換えも可能である。
【０１０１】
この例３では、駆動ＩＣに必要な出力電圧数は、ロウ側が３値（Ｖ１、Ｖ１／２、ＧＮＤ）、カラム側が３値（Ｖ１、Ｖ１／２、ＧＮＤ）となるが、電圧Ｖ１は全面リセット時にのみ必要となる。このため、前記例２で説明したのと同様に、アナログスイッチ等の電圧切換え手段で、リセット期間とそれより後の期間とで電圧を切り換えて供給することにより、リセット時にはロウ側２値（Ｖ１、ＧＮＤ）、カラム側２値（Ｖ１、ＧＮＤ）、選択時にはロウ側２値（Ｖ１／２、ＧＮＤ）、カラム側２値（Ｖ１／２、ＧＮＤ）で書換えが可能となる。従って、ドライバのコストをさらに低減することができる。
【０１０２】
（マトリクス駆動の例４）
図１４に、液晶の捻れが戻る時間をより長くとれる駆動波形を例４として示す。ここでは、選択期間は電圧±Ｖ２／２のパルスが印加される期間と、電圧±Ｖ２の選択パルスが印加される期間と、電圧±Ｖ２／２のパルスが印加される期間とで構成されている。電圧±Ｖ２／２のパルスは、クロストークと同じ電圧、形状のもので、このときに印加する走査波形及びデータ波形もクロストーク期間に印加するものと同じである。このような波形を印加することによって、選択期間では電圧ゼロの時間がより長くなるため、液晶の捻れが戻る時間がより長くとれる。この場合、１ラインを選択する時間は、液晶の捻れが戻る時間よりも短くすることができるため、画面書換え速度を速くすることが可能になる。
【０１０３】
なお、駆動ＩＣとしては例１に示した回路（図８、図９参照）と同様のものが使用できる。
【０１０４】
（他の実施形態）
なお、本発明に係る駆動方法及び液晶表示装置は前記実施形態に限定するものではなく、その要旨の範囲内で種々に変更することができる。
【０１０５】
特に、液晶表示素子の構成、材料、製造方法や、駆動回路の構成等は任意である。
【図面の簡単な説明】
【０１０６】
【図１】液晶表示素子の一例を示す断面図。
【図２】前記液晶表示素子のフィルム基板上に柱状構造物及びシール材を形成した状態を示す平面図。
【図３】前記液晶表示素子の製作工程を示す説明図。
【図４】前記液晶表示素子の駆動回路を示すブロック図。
【図５】本発明に係る駆動方法の原理を示す説明図。
【図６】本発明に係る駆動方法における基本的な駆動波形を示すチャート図。
【図７】駆動例１における駆動波形を示すチャート図。
【図８】駆動例１で使用される走査駆動ＩＣの回路を示すブロック図。
【図９】駆動例１で使用される信号駆動ＩＣの回路を示すブロック図。
【図１０】駆動例２における駆動波形を示すチャート図。
【図１１】駆動例２で使用される走査駆動ＩＣの回路を示すブロック図。
【図１２】駆動例２で使用される信号駆動ＩＣの回路を示すブロック図。
【図１３】駆動例３における駆動波形を示すチャート図。
【図１４】駆動例４における駆動波形を示すチャート図。
【符号の説明】
【０１０７】
１００…液晶表示素子
１１３，１１４…電極
１１６…カイラルネマティック液晶
１３１…走査駆動ＩＣ（ドライバ）
１３２…信号駆動ＩＣ（ドライバ）
８１０，８１１，９１４…アナログスイッチ
Ｔｒ…リセット期間
Ｔｓ…選択期間
Ｔｓ１…前選択期間
Ｔｓ２…選択パルス印加期間
Ｔｓ３…後選択期間
Ｔｅ…維持期間
【図１】
2008181157.tif 000005
【図２】
2008181157.tif 000006
【図３】
2008181157.tif 000007
【図４】
2008181157.tif 000008
【図５】
2008181157.tif 000009
【図６】
2008181157.tif 000010
【図７】
2008181157.tif 000011
【図８】
2008181157.tif 000012
【図９】
2008181157.tif 000013
【図１０】
2008181157.tif 000014
【図１１】
2008181157.tif 000015
【図１２】
2008181157.tif 000016
【図１３】
2008181157.tif 000017
【図１４】
2008181157.tif 000018